(57)【要約】      （修正有）【課題】プリント基板に安定的に固定され、ＩＣカード等とプリント基板との間を安定的に接続するためのコネクタを提供する。【解決手段】インシュレータと、複数の導電端子と、固着部材４とを備えている。前記インシュレータは、ＩＣカード６が挿入される挿入溝１１が形成された基体１０を備えている。前記導電端子は、前記挿入溝に延在させられる接触部２１ａと、前記インシュレータの基体から突出させられた接触脚２３ａとを含む。当該コネクタにおいて、前記インシュレータに実装される固着部材により、ＩＣカード６が前記挿入溝内に回動させられて挿入される時、前記導電端子の受ける力がバランスされる。【選択図】図３
0003117605.tif 000002
【実用新案登録請求の範囲】
【請求項１】
ＩＣカードとプリント基板とを接続するために用いられるコネクタであって、
前記ＩＣカードが挿入される挿入溝が形成された基体を備えるインシュレータと、
前記挿入溝に延在させられる接触部と、前記インシュレータの基体から突出させられた接触脚とを含む複数の導電端子とが設けられており、
当該コネクタにおいて、前記ＩＣカードが前記挿入溝内に回動させられて挿入される時、前記導電端子の受ける力がバランスできるようになっている、前記インシュレータに実装される固着部材を有することを特徴とするコネクタ。
【請求項２】
前記インシュレータは、基体の両端にそれぞれ端部が設けられ、前記固着部材が前記端部に装着されることを特徴とする、請求項１に記載のコネクタ。
【請求項３】
前記インシュレータの両端部に、固定部と該固定部を貫通した貫通孔とが形成され、前記固着部材が、前記固定部及び貫通孔により、コネクタをプリント基板に実装させるようになっていることを特徴とする、請求項２に記載のコネクタ。
【請求項４】
前記固着部材は、前記固定部内に装着されるナット及び前記貫通孔内に貫通して装着されるボルトであることを特徴とする、請求項３に記載のコネクタ。
【請求項５】
前記挿入溝の相対した内側に、複数の収容溝がそれぞれ形成され、前記導電端子が、前記収容溝内にそれぞれ装着される上列端子と下列端子とを含み、前記上下列端子の接触部が、前記ＩＣカードの相対した表面にそれぞれ弾性により接続できるようになっており、且つ前記上列端子の接触部が、前記下列端子の接触部の後方に位置することを特徴とする、請求項４に記載のコネクタ。
【請求項６】
前記固着部材と前記上列端子の接触脚とは、前記挿入溝の後方にそれぞれ位置することを特徴とする、請求項５に記載のコネクタ。
【請求項７】
前記上列端子及び前記下列端子は、さらに、固着部を含み、該固着部が前記インシュレータ内にそれぞれ介入して係合することにより、前記導電端子が前記収容溝内に固着され、且つ、前記下列端子の接触脚が前記挿入溝の前方に位置することを特徴とする、請求項６に記載のコネクタ。
【請求項８】
前記コネクタは、前記ＩＣカードを挟んで固着させる保持金具を含むことを特徴とする、請求項７に記載のコネクタ。
【請求項９】
前記インシュレータの端部からガイドアームがそれぞれ延出するように形成され、前記金属板からなる保持金具により、該ガイドアームの過度な偏移が防止できるようになっていることを特徴とする、請求項９に記載のコネクタ。
【考案の詳細な説明】
【技術分野】
【０００１】
本考案は、コネクタに関し、特にＩＣカード等を挿入して接続するためのコネクタに関するものである。
【背景技術】
【０００２】
従来、この種のコネクタは、特許文献１に開示されているように形成されていて、固着溝を有するインシュレータと、前記固着溝内に装着される導電端子と、前記インシュレータの両端からそれぞれ延出した、相対するガイドアームと、前記ガイドアームに実装され、プリント基板に半田付けされる半田片を有する補強部材とを含む。前記導電端子が前記インシュレータから延出した半田付け部により、プリント基板に半田付けされる。
【特許文献１】米国特許文献第５，７７９，４９４号明細書
【０００３】
ＩＣカードが前記コネクタ内に挿入される際、まず、前記ＩＣカードが傾斜した角度で前記インシュレータの固着溝内に挿入されてから、下方に向けて回動させられて前記ガイドアームを外側に拡開させ、こうして、前記ＩＣカードが前記固着溝内に実装され、前記ガイドアームは自身の弾性により回復させられる。
【０００４】
しかしながら、ＩＣカードは必要に応じて、常時、抜き差しされなければならないので、前記ガイドアームに作用する力は、該コネクタとプリント基板との間の接続に影響を及ぼす。特に、ＩＣカードが下方に向けて回動させられる際に、前記ＩＣカードの前端は、前記導電端子に作用する上向きの力を生ぜしめる。これにより、導電端子とプリント基板との半田付けの接続部が影響される。そこで、このような問題を解決するために、新型のコネクタを開発する必要性が生じている。
【考案の開示】
【考案が解決しようとする課題】
【０００５】
本考案は、プリント基板に安定的に固定され、ＩＣカード等とプリント基板との間を安定的に接続するためのコネクタを提供することを目的とする。
【課題を解決するための手段】
【０００６】
前記目的を達成するために、本考案のコネクタは、インシュレータと、複数の導電端子と、固着部材とを備えている。前記インシュレータは、ＩＣカードが挿入される挿入溝が形成された基体を備えている。前記導電端子は、前記挿入溝に延在させられる接触部と、前記インシュレータの基体から突出させられた接触脚とを含む。当該コネクタにおいて、前記インシュレータに実装される固着部材により、ＩＣカードが前記挿入溝内に回動させられて挿入される時、前記導電端子の受ける力はバランスされる。
【考案の効果】
【０００７】
従来の技術に比べると、本考案は以下の利点を有している。すなわち、前記インシュレータに実装される固着部材により、当該コネクタがプリント基板に安定的に実装され、こうして、前記ＩＣカードとプリント基板との、当該コネクタによる電気的に安定した接続が達成されるという利点である。
【考案を実施するための最良の形態】
【０００８】
図１〜図５に基づいて、本考案のコネクタ１００について説明する。本考案のコネクタ１００は、ＩＣカード等を挿入接続するためにプリント基板７に実装され、インシュレータ１と、複数の導電端子２と、一対の保持金具３と、固着部材４とを含む。
【０００９】
図２及び図４に示すように、前記インシュレータ１はコ字形に形成されており、基体１０と、該基体１０の長手方向の両端にそれぞれ設けられた端部１４と、該両端部１４からそれぞれ延出した、相対する一対のガイドアーム１３と、前記基体１０の長手方向に沿って形成された挿入溝１１と、該挿入溝１１の上下に相対して内側壁（記号なし）に平行に設けられた複数の収容溝１２とを含む。
【００１０】
前記インシュレータ１のガイドアーム１３は、プリント基板７（図３及び図４に破線で示す）に対して平行な基部１３１と、該基部１３１に対して垂直に延在し、前記インシュレータ１の外部に位置する垂直部１３２と、該垂直部１３２の先端に形成された半円柱体状を呈する係止部１３３と、前記垂直部１３２の上縁から突出した凸部１３４と、前記垂直部１３２と前記端部１４との間に形成されたスリット１３５と、前記基部１３１の先端に形成された凹部１３６とを含んでいる。
【００１１】
前記導電端子２は前記収容溝１２内に装着され、前記上内側壁に設けられた収容溝１２内に上列端子と、前記下内側壁に設けられた収容溝１２内に下列端子とを含み、相対して設置された上列端子と下列端子との形状及び構成は類似している。各上列端子は接触部２１ａと、固着部２２ａと、接触脚２３ａとを有し、各下列端子は接触部２１ｂと、固着部２２ｂと、接触脚２３ｂとを備えている。
【００１２】
前記接触部２１ａ、２１ｂは前記挿入溝１１内に延在しており、前記挿入溝１１内に挿入されたＩＣカード６（図４の破線で示す）の上表面６１及び下表面６２にそれぞれ弾性により接続できる。その際、前記上列端子の接触部２１ａは下列端子の接触部２１ｂの後方に位置するので、ＩＣカード６が回動させられて挿入される際に有利である。前記固着部２２ａ、２２ｂは前記インシュレータ１内にそれぞれ係入して固着され、前記接触脚２３ａ、２３ｂは前記インシュレータ１の両側（記号なし）にそれぞれ突出していてプリント基板７の表面にそれぞれ半田付けして実装され、前記上列端子の接触脚２３ａは前記挿入溝１１の後方に位置し、前記下列端子の接触脚２３ｂは前記挿入溝１１の前方に位置する。
【００１３】
前記一対の保持金具３は、前記相対した一対のガイドアーム１３に装着され、金属板から打抜き加工によって形成され、長方形の主体部３１と、該主体部３１から後方に延出し、両側（記号なし）に複数の凸刺部３２１を有する係合部３２と、前記主体部３１の上縁から延出するように形成された第１凸片３３及び第２凸片３４と、前記主体部３１の下縁から延出するように形成された第３凸片３５及び半田付け片３６と、前記半田付け片３６に近接する位置に延出した弾性片３７とを含んでいる。
【００１４】
前記保持金具３は、前記係合部３２に設けられた凸刺部３２１により、前記ガイドアーム１３のスリット１３５内に係入して固定される。その際、前記主体部３１はガイドアーム１３の垂直部１３２の外部に密接させられ、前記第１凸片３３が前記係止部１３３の上方に位置し、垂直部１３２の先端を包み、前記第２凸片３４が前記凸部１３４を押圧し、前記第３凸片３５が前記ガイドアーム１３の凹部１３６内へ自由に移動させられて装着される。こうして、ＩＣカード６の挿入過程で、保持金具３は、前記ガイドアーム１３の過度な偏移を防止でき、該ガイドアーム１３の保護の役目を担っている。また、前記弾性片３７は前記ガイドアーム１３の基部１３１の上方に位置し、前記ＩＣカード６の接地装置（図示せず）に接続してアースルートを形成している。
【００１５】
図５に示すように、前記固着部材４は、前記インシュレータ１の端部１４に前端から後端まで延在するように形成された固定部１５内に装着され、前記挿入溝１１の後端に位置し、当該コネクタ１００をプリント基板７に実装するために用いられる。前記端部１４には、前記固定部１５を垂直に貫通した貫通孔１６が形成される。本実施形態では、前記固着部材４は、前記固定部１５内に装着されるナット及び貫通孔１６内に装着されるボルトである。もちろん、前記固定部１５は前記端部１４の両側に窪んだ形状で形成されてもいい。
【００１６】
前記ＩＣカード６が該コネクタ１００内に取り付けられる際、図３及び図４に示すように、まず、前記ＩＣカード６は前記挿入溝１１内に斜めに挿入され、次いで、下方（図のｒに示す方向）に向けて回動させられるように押圧され、前記凸部１３４に押圧される。さらに、前記ガイドアーム１３が弾性により外側に向けて拡開させられ、前記ＩＣカード６が該ガイドアーム１３の基部１３１に装着されると、該ガイドアーム１３は弾性により回復することができる。前記ＩＣカード６は、前記係止部１３３がＩＣカード６の両側の凹部（図示せず）に係合することにより、前後及び左右の方向への移動が制限され、前記凸部１３４により、上下の方向への移動が制限される。前記ＩＣカード６を当該コネクタ１００から取り外す際には、外力により前記ガイドアーム１３を外側に拡開させてから、前記ＩＣカード６を当該コネクタ１００から取り外す。
【００１７】
前記ＩＣカード６の抜き差しの過程で、当該コネクタ１００は外力を受けるが、前記導電端子２がプリント基板７に半田付けされるだけであるため、プリント基板７から容易に離脱してしまう。しかしながら、本考案では、前記導電端子２及び前記固着部材４により、該コネクタ１００はプリント基板７に確実に実装され、プリント基板７からの離脱が防止される。また、前記カード６が下方に向けて回動させられる時、前記導電端子２が上向き（図のｕに示す方向）の力を受けるが、前記固着部材４により、前記上向きの力がバランスされることで、導電端子２の接触脚２３ａの、プリント基板７への接続は破壊され得ない。こうして、前記ＩＣカード６とプリント基板７との電気的に安定した接続が達成される。
【００１８】
もちろん、前記保持金具３は、前記インシュレータ１の両端１４に直接的に装着されてもいい。その他、当該保持金具３がプラスチック製品からなれば、前記の効果が達成できるので、再度述べない。
【００１９】
以上、本考案について、最良の実施の形態を参照して詳細に説明したが、実施形態はあくまでも例示的なものであり、これらに限定されるものではない。また前記の説明は、本考案に基づきなしうる細部の修正或いは変更なども含め、いずれも本考案の請求範囲に属するものとする。
【図面の簡単な説明】
【００２０】
【図１】本考案に係るコネクタの組立斜視図である。
【図２】本考案に係るコネクタの分解斜視図である。
【図３】本考案に係るＩＣカードとコネクタの上列端子とが接続された状態を示す断面図である。
【図４】本考案に係るＩＣカードとコネクタの下列端子とが接続された状態を示す断面図である。
【図５】図１に示すコネクタを別の角度から見る分解斜視図である。
【符号の説明】
【００２１】
１  インシュレータ
２  導電端子
３  保持金具
４  固着部材
６  ＩＣカード
７  プリント基板
１０  基体
１１  挿入溝
１２  収容溝
１３  ガイドアーム
１４  端部
１５  固定部
１６  貫通孔
２１ａ、２１ｂ  接触部
２２ａ、２２ｂ  固着部
２３ａ、２３ｂ  接触脚
３１  主体部
３２  係合部
３３  第１凸片
３４  第２凸片
３５  第３凸片
３６  半田付け片
３７  弾性片
１００  コネクタ
１３１  基部
１３２  垂直部
１３３  係止部
１３４  凸部
１３５  スリット
１３６  凹部
３２１  凸刺部
【図１】
0003117605.tif 000003
【図２】
0003117605.tif 000004
【図３】
0003117605.tif 000005
【図４】
0003117605.tif 000006
【図５】
0003117605.tif 000007
【手続補正書】
【提出日】平成17年10月17日(2005.10.17)
【手続補正１】
【補正対象書類名】実用新案登録請求の範囲
【補正対象項目名】請求項９
【補正方法】変更
【補正の内容】
【請求項９】
前記インシュレータの端部からガイドアームがそれぞれ延出するように形成され、金属板からなる前記保持金具により、該ガイドアームの過度な偏移が防止できるようになっていることを特徴とする、請求項８に記載のコネクタ。